(57)【要約】【課題】有用性の高い広告をユーザーに配信することができる広告配信システムを得る。【解決手段】改札機８内の広告配信部２０は、ユーザーが改札機８の所定の認識部に携帯端末１をかざす等の所定のタイミング時に、携帯端末１のＩＣカード定期券部３から定期券情報Ｄ３を生活圏情報６として、電子マネー部４及びポイントカード部５から購買履歴情報Ｄ４及び店舗利用状況情報Ｄ５を購買傾向情報７として取り込む。そして、広告配信部２０は、生活圏情報６及び購買傾向情報７によって認識されるユーザー情報と広告配信条件情報Ｄ１０で規定されるユーザー条件とを比較し、一致したユーザー条件に対応する情報を広告サーバ１１から配信広告情報９として取得し、近距離無線通信を利用して配信広告情報９を携帯端末１に配信する。【選択図】図１
2007213277.tif 000002
【特許請求の範囲】
【請求項１】
所有者の商品等の購買履歴情報を含む購買傾向情報を記憶した購買傾向情報記憶部を備え、近距離無線通信機能を有する携帯端末と、
前記携帯端末の前記所有者の改札時に前記購買傾向情報記憶部から前記購買傾向情報を読み出し、前記購買傾向情報によって前記所有者の広告配信用所有者情報を認識し、該広告配信用所有者情報に基づき前記所有者に配信すべき広告を配信広告情報として取得し、該配信広告情報を前記携帯端末に前記近距離無線通信機能を用いて配信する改札機とを備える、
広告配信システム。
【請求項２】
請求項１記載の広告配信システムであって、
前記改札機は、
少なくとも一つの所有者条件を設定する広告配信条件設定部と、
前記少なくとも一つの所有者条件に対応する形式で広告情報を格納した広告サーバと、
前記少なくとも一つの所有者条件のうち、前記広告配信用所有者情報と一致する条件に対応する前記広告情報を前記広告サーバから前記配信広告情報として取得して、前記携帯端末に配信する広告配信部とを含む、
広告配信システム。
【請求項３】
所有者の購買履歴情報を含む購買傾向情報を記憶した購買傾向情報記憶部を備え、所定のネットワークを介した受信機能を有する携帯端末と、
前記携帯端末の前記所有者の改札時に前記購買傾向情報記憶部から前記購買傾向情報を読み出し、前記購買傾向情報によって前記所有者の広告配信用所有者情報を認識し、前記広告配信用所有者情報に関連した広告識別情報を前記所定のネットワーク上に送信する改札機と、
前記所定のネットワークを介して前記広告識別情報を受信し、該広告識別情報に基づき前記所有者に配信すべき広告を配信広告情報として取得し、該配信広告情報を前記携帯端末に前記所定のネットワークを介して配信するネットワーク接続広告配信装置とを備える、
広告配信システム。
【請求項４】
請求項３記載の広告配信システムであって、
前記改札機は、
少なくとも一つの所有者条件を設定する広告配信条件設定部と、
前記少なくとも一つの所有者条件のうち、前記広告配信用所有者情報と一致する条件に対応する広告識別情報を前記所定のネットワーク上に送信する広告識別情報通信部とを含み、
前記ネットワーク接続広告配信装置は、
前記広告識別情報に対応する形式で広告情報を格納した広告サーバと、
前記広告識別情報に対応する前記広告情報を前記広告サーバから前記配信広告情報として取得して、前記携帯端末に配信する広告配信部とを含む、
広告配信システム。
【請求項５】
請求項１ないし請求項４のうち、いずれか１項に記載の広告配信システムであって、
前記携帯端末は、定期券情報、乗車券情報を含む車両利用情報を格納した車両利用情報記憶部をさらに有し、
前記改札機は、前記改札時に前記車両利用情報記憶部から前記車両利用情報を読み出し、前記購買傾向情報に加え、前記車両利用情報を加味して前記広告配信用所有者情報を認識する、
広告配信システム。
【請求項６】
請求項１ないし請求項５のうち、いずれか１項に記載の広告配信システムであって、
前記改札機は、前記改札機自体の属性を示す改札機属性情報をさらに加味して、前記広告配信用所有者情報を認識する、
広告配信システム。
【請求項７】
所有者を識別する所有者識別情報を格納した所有者識別情報記憶部を備え、所定のネットワークを介した受信機能を有する携帯端末と、
前記携帯端末の前記所有者の改札時に前記所有者識別情報記憶部から前記所有者識別情報を読み出して取得する改札機と、
予め登録された購買対象者毎の商品等の購買履歴情報を含む購買傾向情報を格納した購買履歴データベースを有し、前記所定のネットワークを介して前記改札機から前記所有者識別情報を受信し、該所有者識別情報によって識別される前記所有者に一致する購買対象者の前記購買傾向情報に基づき、前記購買履歴データベースから前記所有者の広告配信用所有者情報を認識し、該広告配信用所有者情報に基づき前記所有者に配信すべき広告を配信広告情報として取得し、該配信広告情報を前記所定のネットワークを介して前記携帯端末に配信するネットワーク接続広告配信装置とを備える、
広告配信システム。
【請求項８】
請求項７記載の広告配信システムであって、
前記ネットワーク接続広告配信装置は、
少なくとも一つの所有者条件を設定する広告配信条件設定部と、
前記少なくとも一つの所有者条件に対応する形式で広告情報を格納した広告サーバと、
前記少なくとも一つの所有者条件のうち、前記広告配信用所有者情報と一致する条件に対応する前記広告情報を前記広告サーバから前記配信広告情報として取得し、該配信広告情報を前記所定のネットワークを介して前記携帯端末に配信する広告配信部とを含む、
広告配信システム。
【請求項９】
請求項７あるいは請求項８に記載の広告配信システムであって、
前記携帯端末は、定期券情報、乗車券情報を含む車両利用情報を格納した車両利用情報記憶部をさらに有し、
前記改札機は、前記改札時に前記車両利用情報記憶部から前記車両利用情報を読み出し、前記所有者識別情報に加え、前記車両利用情報を前記所定のネットワーク上に送信し、
前記ネットワーク接続広告配信装置は、前記所定のネットワークを介して前記車両利用情報をさらに取得し、前記購買傾向情報に加え、前記車両利用情報を加味して前記広告配信用所有者情報を認識する、
広告配信システム。
【請求項１０】
請求項７ないし請求項９のうち、いずれか１項に記載の広告配信システムであって、
前記改札機は、前記改札機自体の属性を示す改札機属性情報を有し、該改札機属性情報を前記所定のネットワーク上に送信し、
前記ネットワーク接続広告配信装置は、前記所定のネットワークを介して前記改札機属性情報をさらに取得し、前記改札機属性情報をさらに加味して前記配信広告情報を認識する、
広告配信システム。
【発明の詳細な説明】
【技術分野】
【０００１】
この発明は、鉄道交通などにおいて、利用者が所持する携帯電話等の携帯端末と自動改札機とを含む環境を利用した広告配信システムに関する。
【背景技術】
【０００２】
従来より改札通過時にＩＣカード定期券からユーザーの情報を取得し、ユーザーに適した広告を配信するシステムとして、例えば特許文献１に開示されたＩＣカードシステムがあった。
【０００３】
【特許文献１】特開２００２−２７９３６８号公報
【発明の開示】
【発明が解決しようとする課題】
【０００４】
しかしながら、上記ＩＣカードシステムは、改札機が広告配信の判断に使う情報はＩＣカード定期券に関する情報のみであった。
【０００５】
このため、特定のエリアのユーザーにのみ広告配信することはできても、必ずしもユーザーにとって有用性の高い広告配信ができていないという問題店があった。
【０００６】
この発明は上記問題点を解決するためになされたもので、より有用性の高い広告をユーザーに配信することができる広告配信システムを得ることを目的とする。
【課題を解決するための手段】
【０００７】
この発明に係る請求項１記載の広告配信システムは、所有者の商品等の購買履歴情報を含む購買傾向情報を記憶した購買傾向情報記憶部を備え、近距離無線通信機能を有する携帯端末と、前記携帯端末の前記所有者の改札時に前記購買傾向情報記憶部から前記購買傾向情報を読み出し、前記購買傾向情報によって前記所有者の広告配信用所有者情報を認識し、該広告配信用所有者情報に基づき前記所有者に配信すべき広告を配信広告情報を取得し、該配信広告情報を前記携帯端末に前記近距離無線通信機能を用いて配信する改札機とを備える。
【０００８】
この発明に係る請求項３記載の広告配信システムは、所有者の購買履歴情報を含む購買傾向情報を記憶した購買傾向情報記憶部を備え、所定のネットワークを介した受信機能を有する携帯端末と、前記携帯端末の前記所有者の改札時に前記購買傾向情報記憶部から前記購買傾向情報を読み出し、前記購買傾向情報によって前記所有者の広告配信用所有者情報を認識し、前記広告配信用所有者情報に関連した広告識別情報を前記所定のネットワーク上に送信する改札機と、前記所定のネットワークを介して前記広告識別情報を受信し、該広告識別情報に基づき前記所有者に配信すべき広告を配信広告情報として取得し、該配信広告情報を前記携帯端末に前記所定のネットワークを介して配信するネットワーク接続広告配信装置とを備える。
【０００９】
この発明に係る請求項７記載の広告配信システムは、所有者を識別する所有者識別情報を格納した所有者識別情報記憶部を備え、所定のネットワークを介した受信機能を有する携帯端末と、前記携帯端末の前記所有者の改札時に前記所有者識別情報記憶部から前記所有者識別情報を読み出して取得する改札機と、予め登録された購買対象者毎の商品等の購買履歴情報を含む購買傾向情報を格納した購買履歴データベースを有し、前記所定のネットワークを介して前記改札機から前記所有者識別情報を受信し、該所有者識別情報によって識別される前記所有者に一致する購買対象者の前記購買傾向情報に基づき、前記購買履歴データベースから前記所有者の広告配信用所有者情報を認識し、該広告配信用所有者情報に基づき前記所有者に配信すべき広告を配信広告情報として取得し、該配信広告情報を前記所定のネットワークを介して前記携帯端末に配信するネットワーク接続広告配信装置とを備える。
【発明の効果】
【００１０】
この発明に係る請求項１記載の広告配信システムは、所有者の商品等の購買履歴情報を含む購買傾向情報によって認識される広告配信用所有者情報に基づき、配信広告情報を所有者の携帯端末に配信している。したがって、所有者の購買傾向情報に基づくことにより、所有者にとって有用性が高い配信広告情報を配信することができる効果を奏する。
【００１１】
この発明に係る請求項３記載の広告配信システムは、所有者の商品等の購買履歴情報を含む購買傾向情報によって認識される広告配信用所有者情報に基づき、配信広告情報を所有者の携帯端末に配信している。したがって、所有者の購買傾向情報に基づくことにより、所有者にとって有用性が高い配信広告情報を配信することができる効果を奏する。
【００１２】
さらに、配信広告情報の配信をネットワーク接続広告配信装置によって行うことにより、改札機が配信広告情報等を有する必要がない分、改札機の内部構成の簡略化が図ることができる効果を奏する。また、配信広告情報の配信を所定のネットワーク経由で行うため、改札機に携帯端末への広告配信用の通信設備が必要なくなり、改札機の内部構成をさらに簡略化できる効果を奏する。
【００１３】
この発明に係る請求項７記載の広告配信システムは、所有者識別情報によって識別される所有者に一致する購買対象者の購買傾向情報に基づき、ネットワーク接続広告配信装置内の購買履歴データベースから所有者の広告配信用所有者情報を認識し、該広告配信用所有者情報に基づき、所有者に配信すべき広告を配信広告情報を取得して所定のネットワークを介して携帯端末に配信している。したがって、所有者の購買傾向情報に基づくことにより、所有者にとって有用性が高い配信広告情報を配信することができる効果を奏する。
【００１４】
さらに、ネットワーク接続広告配信装置は内部に、購買対象者毎の商品等の購買傾向購買傾向情報を格納した購買履歴データベースを有しているため、携帯端末が購買傾向情報を記憶する手段を必要としない分、携帯端末の装置構成の簡略化を図ることができる効果を奏する。
【００１５】
加えて、配信広告情報の配信をネットワーク接続広告配信装置によって行うことにより、改札機が配信広告情報等を有する必要がない分、改札機の内部構成の簡略化が図ることができる効果を奏する。また、配信広告情報の配信を所定のネットワーク経由で行うため、改札機に携帯端末への広告配信用の通信設備が必要なくなり、改札機の内部構成をさらに簡略化できる効果を奏する。
【発明を実施するための最良の形態】
【００１６】
＜実施の形態１＞
図１はこの発明の実施の形態１である広告配信システムの構成を示すブロック図である。同図に示すように、実施の形態１の広告配信システムは基本的にて携帯端末１と改札機８とにより構成される。
【００１７】
携帯端末１は表示部２、ＩＣカード定期券部（車両利用情報記憶部）３、電子マネー部４及びポイントカード部５を有している。
【００１８】
表示部２は後述する配信広告情報９等の情報を表示し、ＩＣカード定期券部３は鉄道等の乗車用の通常乗車券あるいは定期券に相当する機能を有し、内部に定期券情報Ｄ３を格納している。定期券情報Ｄ３としては、携帯端末１のユーザーが定期的あるいは一時的に乗り降りする乗降駅名、通勤経路及び通学経路等の乗降経路、通学者，通勤者を識別する情報等が挙げられる。なお、乗降駅名の情報は、一時的に乗り降りする通常の乗車券の情報も含む。すなわち、定期券情報Ｄ３は正確には定期券情報、乗車券情報を含む車両利用情報を意味する。
【００１９】
電子マネー部４はお金を電子情報化し、購入限度額等の金銭に関する情報に加え、電子マネー部４によって購入した商品等の履歴を示す購買履歴情報Ｄ４を格納している。ポイントカード部５はポイント制を採用している店舗毎に商品等購入の際に加算させるポイント数を記録し、店舗毎のポイント数を店舗利用状況情報Ｄ５として格納している。
【００２０】
改札機８は、広告配信条件設定部１０、広告サーバ１１及び広告配信部２０より構成され、改札機属性情報１７を内部に有している。広告配信条件設定部１０は広告配信対象となる少なくとも一つのユーザー条件（所有者条件）を規定した広告配信条件情報Ｄ１０を格納している。広告サーバ１１は広告配信条件情報Ｄ１０によって規定される少なくとも一つのユーザー条件それぞれに対応した広告内容を規定した広告情報Ｄ１１を格納している。
【００２１】
広告配信部２０は携帯端末１のユーザーが改札機８の所定の認識部（図示せず）に携帯端末１をかざす等の所定のタイミング時に、携帯端末１のＩＣカード定期券部３から定期券情報Ｄ３を生活圏情報６として、電子マネー部４及びポイントカード部５から購買履歴情報Ｄ４及び店舗利用状況情報Ｄ５を購買傾向情報７として取り込む。なお、定期券情報Ｄ３、購買履歴情報Ｄ４及び店舗利用状況情報Ｄ５の取り込みを後述する近距離無線通信を用いて行うのが一般的である。
【００２２】
さらに、広告配信部２０は、広告配信条件設定部１０より広告配信条件情報Ｄ１０を取り込む。したがって、電子マネー部４及びポイントカード部５は互いに併せて購買傾向情報記憶部として機能する。
【００２３】
そして、広告配信部２０は、生活圏情報６及び購買傾向情報７によって認識されるユーザー情報（広告配信用所有者情報）と広告配信条件情報Ｄ１０で規定される少なくとも一つのユーザー条件それぞれとを比較し、広告情報Ｄ１１のうち、一致したユーザー条件に対応する情報を配信広告情報９として取得し、近距離無線通信を利用して配信広告情報９を携帯端末１に配信する。なお、配信広告情報９の携帯端末１への配信は、上記所定のタイミング時にほぼ同時に行われる。
【００２４】
なお、広告配信部２０は生活圏情報６及び購買傾向情報７に加え、改札機属性情報１７を加味してユーザー情報を認識することもできる。改札機属性情報１７としては改札機８が設置された駅名、利用形態（乗車用、降車用）、時間情報（日時、曜日）等が考えられる。また、改札機８は勿論、通常の運賃精算処理を行う機能を有している。
【００２５】
図２は図１で示した実施の形態１の広告配信システムの広告配信動作を示す説明図である。以下、同図を参照して、実施の形態１の広告配信システムの広告配信処理内容を説明する。
【００２６】
まず、ステップＳＴ１において、携帯端末１の所有者であるユーザー２１が改札機８を通過する際（ＳＴ１１）、携帯端末１を改札機８の所定の認識部にかざす（ＳＴ１２）。
【００２７】
その後、ステップＳＴ２において、改札機８は運賃の精算処理を行うとともに、改札機８の広告配信部２０は携帯端末１に対して生活圏情報６及び購買傾向情報７の送信を要求し（ＳＴ２１）、この要求を受けた携帯端末１は、ＩＣカード定期券部３から定期券情報Ｄ３を生活圏情報６として、電子マネー部４及びポイントカード部５から購買履歴情報Ｄ４及び店舗利用状況情報Ｄ５を購買傾向情報７として読み出し（ＳＴ２２）、生活圏情報６及び購買傾向情報７を改札機８の広告配信部２０に送信する（ＳＴ２３）。
【００２８】
上述したステップＳＴ２の処理によって、広告配信部２０は生活圏情報６及び購買傾向情報７を取得することができる。生活圏情報６としては以下の情報が考えられる。例えば、定期券情報Ｄ３内に存在する乗降駅名からはユーザー２１がどの駅から移動してきた人であるかを認識することができる。また、定期券情報Ｄ３内にある識別情報からはユーザー２１の利用形態（定期券，通常乗車券の種別、通勤，通学の種別等）や、通勤（通学）時に通る通勤（通学）経路を認識することができる。このように、生活圏情報６からユーザー２１の日常生活の範囲を推定することができる。
【００２９】
次に、ステップＳＴ３において、広告配信部２０は生活圏情報６及び購買傾向情報７で認識されるユーザー情報と広告配信条件情報Ｄ１０で規定される少なくとも一つのユーザー条件それぞれとを比較し（ＳＴ３１）、ユーザー情報とユーザー条件が一致した場合、広告サーバ１１内の広告情報Ｄ１１から、一致したユーザー条件に対応する情報を配信広告情報９として読み出す（ＳＴ３２）。
【００３０】
例えば、広告配信条件情報Ｄ１０で規定される少なくとも一つのユーザー条件の一つとして条件Ｘ「Ｂ駅に定期券で通っていて、Ａ店で最近６ヶ月以内にＸ円以上購入したユーザー」が存在している場合、生活圏情報６から定期券の利用者の有無、Ｂ駅が乗降駅に該当するかの有無が判断でき、購買傾向情報７から「Ａ店で最近6ヶ月以内にＸ円以上購入」の有無が判断できる。
【００３１】
そして、広告配信部２０は、生活圏情報６及び購買傾向情報７より認識されるユーザー２１の情報に基づき、広告配信条件情報Ｄ１０で規定された条件Ｘを満足していると判断すると、広告サーバ１１の広告情報Ｄ１１から、一致した条件Ｘに対応する広告情報（例えば、Ａ店が広告主として設定した広告情報）を配信広告情報９として読み出すことになる。なお、一致したユーザ条件が複数存在する場合、複数の配信広告情報９が読み出されることになる。
【００３２】
その後、ステップＳＴ４において、改札機８から携帯端末１へ近距離無線通信（Felicaが有する無線通信、Bluetoothなど）を利用して配信広告情報９を配信する（ＳＴ４１）。
【００３３】
最後に、ステップＳＴ５において、携帯端末１は配信広告情報９を受信し（ＳＴ５１）、携帯端末１はメロディの発生やライトの点灯、バイブレータによる振動などの携帯端末１に予め備えつけられているユーザーインターフェースにより配信広告情報９が受信されたことをユーザーに通知する（ＳＴ５２）。上記通知を受けたユーザー２１は携帯端末１を操作して、表示部２より配信広告情報９を閲覧することができる（ＳＴ５３）。
【００３４】
このように、実施の形態１の広告配信システムは、ユーザー２１の携帯端末１より得られる生活圏情報６及び購買傾向情報７に基づき、ユーザー２１の携帯端末１の表示部２に配信広告情報９を表示させることにより広告配信を行うため、ユーザー２１のニーズに適合した配信広告情報９を配信することができる。特に、購買傾向情報７に基づくことによりユーザーによって有用性の高い配信広告情報９を配信することができる。
【００３５】
従来は、携帯端末１の電子マネー部４及びポイントカード部５はユーザーが購入を決定してから利用されるものに過ぎなかったが、実施の形態１の広告配信システムでは、電子マネー部４及びポイントカード部５が有する購買履歴情報Ｄ４及び店舗利用状況情報Ｄ５をユーザーの購買傾向情報７として、ユーザーの来店を促す等の広告配信条件用の情報として用いている。このように、ＩＣカード定期券部３、電子マネー部４及びポイントカード部５を有する携帯端末１と改札機８とからなるシステムを広告機能を兼ね備えた電子マネーシステムとして実施の形態１の広告配信システムを実現することにより、携帯端末１の有する電子マネー部４及びポイントカード部５のより一層の有効利用を図ることができる。
【００３６】
また、生活圏情報６に基づくことによりユーザー２１の生活圏と関連性の高い配信広告情報９を配信することができる。
【００３７】
上述のように、改札機８は、広告配信条件設定部１０、広告サーバ１１及び広告配信部２０を有することにより、内部に生活圏情報６及び購買傾向情報７に基づき配信広告情報９が携帯端末１に送信可能な構成部を全て有している。
【００３８】
したがって、携帯端末１と改札機８とによって広告配信システムを構築できることから、本システムを改札機８を備える駅単位に個別に構築することにより、駅及びその周辺の状況に適合した配信広告情報９を携帯端末１に送信することができる。
【００３９】
＜実施の形態２＞
図３はこの発明の実施の形態２である広告配信システムの構成を示すブロック図である。同図に示すように、実施の形態２の広告配信システムは基本的に携帯端末１Ａと改札機８Ａとネットワーク接続広告配信装置３０とにより構成される。
【００４０】
携帯端末１Ａは、実施の形態１同様、表示部２、ＩＣカード定期券部３、電子マネー部４及びポイントカード部５を有している（説明の都合上、図３では図示せず）。さらに、携帯端末１Ａはネットワーク１２（所定のネットワーク）を介した情報受信可能なネットワーク受信部１５を有する。
【００４１】
改札機８Ａは、広告配信条件設定部１０及び広告ＩＤ通信部（広告識別情報通信部）２２より構成され、改札機属性情報１７を有している。広告配信条件設定部１０は広告配信対象となる少なくとも一つのユーザー条件を規定した広告配信条件情報Ｄ１０を格納している。
【００４２】
広告ＩＤ通信部２２は携帯端末１Ａのユーザーが改札機８Ａの所定の認識部に携帯端末１Ａをかざす等の所定のタイミング時に、実施の形態１と同様、携帯端末１ＡのＩＣカード定期券部３、電子マネー部４及びポイントカード部５から、生活圏情報６及び購買傾向情報７を取り込むとともに、広告配信条件設定部１０より広告配信条件情報Ｄ１０を取り込む。そして、広告ＩＤ通信部２２は、生活圏情報６及び購買傾向情報７によって認識されるユーザー情報と広告配信条件情報Ｄ１０で規定される少なくとも一つのユーザー条件とを比較し、一致した場合、一致したユーザー条件に対応する広告ＩＤ１３をネットワーク１２を介してネットワーク接続広告配信装置３０内の広告配信部３１に送信する。上記のように、広告ＩＤ１３は一致したユーザ条件に対応するという関連性を有する広告識別情報として機能する。
【００４３】
なお、広告ＩＤ通信部２２は生活圏情報６及び購買傾向情報７に加え、実施の形態１と同様、改札機属性情報１７を加味してユーザー情報を認識することもできる。
【００４４】
また、ネットワーク接続広告配信装置３０からネットワーク１２を介した配信広告情報９を特定の携帯端末１Ａに配信可能にすべく、広告ＩＤ１３には携帯端末１Ａを特定するユーザーＩＤも含まれる。なお、ユーザーＩＤは生活圏情報６内に含ませる、別途個別に受信する等により、広告ＩＤ通信部２２は認識することができる。
【００４５】
なお、本明細書におけるネットワーク１２としては、インターネット通信網や携帯電話通信網等を意味する。
【００４６】
ネットワーク接続広告配信装置３０は内部に広告配信部３１及び広告サーバ３２を有する。広告サーバ３２は種々の広告ＩＤに対応した広告内容を規定した広告情報Ｄ３２を格納している。
【００４７】
広告配信部３１は広告ＩＤ１３を受信し、広告情報Ｄ３２から広告ＩＤ１３に対応するを情報を配信広告情報９として取得し、ネットワーク１２を介して配信広告情報９を携帯端末１Ａのネットワーク受信部１５に配信する。
【００４８】
図４は図３で示した実施の形態２の広告配信システムの広告配信動作を示す説明図である。以下、同図を参照して、実施の形態２の広告配信システムの広告配信処理内容を説明する。
【００４９】
まず、ステップＳＴ１の処理は、携帯端末１が携帯端末１Ａに置き換わる点を除いて、実施の形態１と同様に行われる。
【００５０】
その後、ステップＳＴ２において、広告配信部２０が広告ＩＤ通信部２２に置き換わる点を除いて実施の形態１と同様に行われる。
【００５１】
次に、ステップＳＴ３において、改札機８Ａは生活圏情報６及び購買傾向情報７から認識されるユーザー情報と広告配信条件情報Ｄ１０で規定される少なくとも一つのユーザー条件とを比較し（ＳＴ３１）、ユーザー情報とユーザー条件が一致した場合、一致したユーザー条件に対応する広告ＩＤ１３をネットワーク１２を経由してネットワーク接続広告配信装置３０の広告配信部３１に送信する（ＳＴ３４）。
【００５２】
そして、広告配信部３１は、広告サーバ３２の広告情報Ｄ３２から、広告ＩＤ１３に対応する広告情報を配信広告情報９として読み出す（ＳＴ３５）。
【００５３】
その後、ステップＳＴ４において、広告ＩＤ１３中のユーザーＩＤから配信対象となる携帯端末を携帯端末１Ａに特定し、広告配信部３１からネットワーク１２を経由して配信広告情報９を携帯端末１Ａのネットワーク受信部１５に配信する（ＳＴ４２）。
【００５４】
最後に、ステップＳＴ５において、携帯端末１が携帯端末１Ａに置き換わる点を除き、実施の形態１と同様に、ユーザー２１は配信広告情報９を閲覧することができる。
【００５５】
このように、実施の形態２の広告配信システムは、実施の形態１と同様、ユーザー２１の携帯端末１Ａより得られる生活圏情報６及び購買傾向情報７に基づき、ユーザー２１の携帯端末１Ａの表示部２に配信広告情報９を表示させることにより広告配信を行うため、ユーザー２１のニーズに適合した、有用性の高い配信広告情報９を配信することができる。
【００５６】
さらに、実施の形態２の広告配信システムは、広告サーバ１１が改札機８Ａ内ではなく、ネットワーク１２に接続されるネットワーク接続広告配信装置３０内に存在するため、改札機８Ａが配信広告情報９を含む広告情報Ｄ３２の格納する記憶手段を有する必要がない分、改札機８Ａの内部構成の簡略化が図ることができる効果を奏する。また、配信広告情報９の配信をネットワーク１２経由で行うため、改札機８Ａに広告配信用の無線通信設備が必要なくなり、改札機８Ａの内部構成をさらに簡略化できる効果を奏する。
【００５７】
また、広告サーバ３２は改札機８Ａ以外のネットワーク接続広告配信装置３０内に存在するため、複数の改札機８Ａに対して一つのネットワーク接続広告配信装置３０を設ける構成で実現することにより、広告情報Ｄ３２の管理をネットワーク接続広告配信装置３０内で一括して行うことができる分、情報管理の効率化を図ることができる効果を奏する。
【００５８】
＜実施の形態３＞
図５はこの発明の実施の形態３である広告配信システムの構成を示すブロック図である。同図に示すように、実施の形態３の広告配信システムは基本的に携帯端末１Ｂと改札機８Ａとネットワーク接続広告配信装置４０とにより構成される。
【００５９】
携帯端末１Ｂは、実施の形態２同様、表示部２、ＩＣカード定期券部３及びネットワーク受信部１５は有している（説明の都合上、図５では図示せず）が、電子マネー部４及びポイントカード部５に相当する電子マネー機能部が未対応である。なお、電子マネー機能部が未対応とは、電子マネー部４及びポイントカード部５に相当する機能を携帯端末１Ｂ自体が有していない場合、電子マネー部４及びポイントカード部５の機能を有しているが携帯端末１Ｂが使用できる状況にない場合等を意味する。
【００６０】
さらに、携帯端末１ＢはユーザーＩＤ（所有者識別情報）１４を格納したユーザーＩＤ格納部（所有者識別情報記憶部）１６を備えている。ユーザーＩＤ１４としては、例えば、電子メールアドレスや電話番号等の携帯端末１Ｂのユーザーを特定できる情報を意味する。
【００６１】
改札機８Ｂは、ネットワーク送信部２３を有し、ネットワーク送信部２３は携帯端末１Ｂのユーザーが改札機８Ｂの所定の認識部に携帯端末１Ｂをかざす等の所定のタイミング時に、ＩＣカード定期券部３及びユーザーＩＤ格納部１６から生活圏情報６及びユーザーＩＤ１４を取り込み、生活圏情報６及びユーザーＩＤ１４をそのままネットワーク１２を介してネットワーク接続広告配信装置４０の広告配信部４１に送信する。なお、改札機８Ｂは実施の形態１，２の改札機８，８Ａと同様、内部に改札機属性情報１７（図示せず）を有しており、ネットワーク送信部２３は必要に応じて生活圏情報６及びユーザーＩＤ１４に加え、改札機属性情報１７を広告配信部４１に送信するようにしても良い。
【００６２】
ネットワーク接続広告配信装置４０は、広告配信部４１、広告配信条件設定部４２、広告サーバ４３及び購買履歴データベース４４から構成される。
【００６３】
広告配信条件設定部４２は広告配信対象となる少なくとも一つのユーザー条件を規定した広告配信条件情報Ｄ４２を格納している。広告サーバ４３は広告配信条件情報Ｄ４２によって規定される少なくとも一つのユーザー条件それぞれに対応した広告内容を規定した広告情報Ｄ４３を格納している。
【００６４】
購買履歴データベース４４は、ユーザーＩＤ１４によって識別可能な各ユーザー（購買対象者）毎の購買履歴情報を予め格納している。例えば、ユーザーＩＤ１４で規定される電子メールアドレスや電話番号などの識別されるユーザーについて、特定店舗での購買履歴、購入ポイント数などが対応付けられた購買傾向情報が保存されている。したがって、ユーザーＩＤ１４を検索キーとして、購買履歴データベース４４から各ユーザーの購買傾向情報７を取得することができる。
【００６５】
広告配信部４１は、購買履歴データベース４４内に格納された購買対象者毎の購買傾向情報のうち、ユーザーＩＤ１４に基づき識別されるユーザーに一致する購買対象者の購買傾向情報を購買傾向情報７として取り込み、この購買傾向情報７と改札機８Ｂより受信した生活圏情報６とによってユーザー情報を認識し、認識したユーザー情報と広告配信条件情報Ｄ４２で規定される少なくとも一つのユーザー条件それぞれとを比較する。
【００６６】
そして、ユーザー情報に一致したユーザー条件が存在した場合、広告配信部４１は、広告サーバ４３の広告情報Ｄ４３から一致したユーザー条件に対応する情報を配信広告情報９として取得し、ネットワーク１２介して配信広告情報９を携帯端末１Ｂのネットワーク受信部１５に送信する。
【００６７】
図６は図５で示した実施の形態３の広告配信システムの広告配信動作を示す説明図である。以下、同図を参照して、実施の形態３の広告配信システムの広告配信処理内容を説明する。
【００６８】
まず、ステップＳＴ１の処理は、携帯端末１が携帯端末１Ｂに置き換わる点を除いて、実施の形態１と同様に行われる。
【００６９】
その後、ステップＳＴ２において、改札機８Ｂは運賃の精算処理を行うとともに、改札機８Ｂのネットワーク送信部２３は携帯端末１Ｂに対して生活圏情報６及びユーザーＩＤ１４の送信を要求し（ＳＴ２１Ａ）、この要求を受けた携帯端末１Ｂは、ＩＣカード定期券部３及びユーザーＩＤ格納部１６から、生活圏情報６（定期券情報Ｄ３）及びユーザーＩＤ１４を読み出し（ＳＴ２４）、生活圏情報６及びユーザーＩＤ１４を改札機８Ｂ内のネットワーク送信部２３に送信する（ＳＴ２５）。
【００７０】
さらに、ネットワーク送信部２３は受信した生活圏情報６及びユーザーＩＤ１４をネットワーク１２を介してネットワーク接続広告配信装置４０内の広告配信部４１に送信する（ＳＴ２６）。この際、ネットワーク送信部２３は改札機属性情報を併せて送信しても良い。
【００７１】
そして、広告配信部４１は購買履歴データベース４４から、ユーザーＩＤ１４によって識別されるユーザーの購買履歴情報を購買傾向情報７として取得する（ＳＴ２７）。
【００７２】
次に、ステップＳＴ３において、広告配信部４１は生活圏情報６及び購買傾向情報７から認識されるユーザー情報と広告配信条件情報Ｄ４２で規定される少なくとも一つのユーザー条件それぞれとを比較する（ＳＴ３６）。そして、ユーザー情報とユーザー条件が一致した場合、広告サーバ４３内の広告情報Ｄ４３から、一致したユーザー条件に対応する情報を配信広告情報９として読み出す（ＳＴ３７）。
【００７３】
その後、ステップＳＴ４において、ユーザーＩＤ１４から配信対称となる携帯端末１Ｂを特定し、広告配信部４１からネットワーク１２を経由して配信広告情報９を携帯端末１Ｂのネットワーク受信部１５に配信する（ＳＴ４３）。
【００７４】
最後に、ステップＳＴ５において、携帯端末１が携帯端末１Ｂに置き換わる点を除き、実施の形態１と同様に、ユーザー２１は配信広告情報９を閲覧することができる。
【００７５】
このように、実施の形態３の広告配信システムは、ユーザー２１の携帯端末１Ｂより直接得られる生活圏情報６と、携帯端末１Ｂより直接得たユーザーＩＤ１４に基づき購買履歴データベース４４より得られる購買傾向情報７とに基づき、ユーザー２１の携帯端末１Ｂの表示部２に配信広告情報９を表示させることにより広告配信を行うため、実施の形態１及び実施の形態２と同様、ユーザー２１のニーズに適合した配信広告情報９を配信することができる。特に、購買傾向情報７に基づくことによりユーザーによって有用性の高い配信広告情報９を配信することができる。
【００７６】
また、生活圏情報６に基づくことによりユーザー２１の生活圏と関連性の高い配信広告情報９を配信することができる。
【００７７】
さらに、実施の形態３の広告配信システムは、広告サーバ４３が改札機８Ｂ内ではなく、ネットワーク１２に接続されるネットワーク接続広告配信装置４０内に存在するため、実施の形態２と同様、改札機８Ｂの内部構成の簡略化が図ることができる効果を奏する。また、配信広告情報９の配信をネットワーク１２経由で行うため、実施の形態２と同様、改札機８Ｂの内部構成をさらに簡略化できる効果を奏する。
【００７８】
また、広告サーバ３２は改札機８Ｂ以外のネットワーク接続広告配信装置４０内に存在するため、複数の改札機８Ｂに対して一つのネットワーク接続広告配信装置４０を設ける構成で実現することにより、広告情報Ｄ４３の管理をネットワーク接続広告配信装置４０内で一括して行うことができる分、実施の形態２と同様、情報管理の効率化を図ることができる効果を奏する。
【００７９】
さらに、実施の形態３の広告配信システムでは、ユーザーの購買傾向情報７となる情報が、別途設けられたネットワーク接続広告配信装置４０内の購買履歴データベース４４内に格納されているため、携帯端末１Ｂが電子マネー機能部を有さない場合、携帯端末１Ｂから購買傾向情報７を取得できない状況時にも、ユーザーの購買傾向情報７を利用した広告配信が行える効果を奏する。
【００８０】
＜実施の形態４＞
図７はこの発明の実施の形態４である広告配信システムの構成を示すブロック図である。同図に示すように、実施の形態４の広告配信システムは第１の構成として携帯端末１Ｃと改札機８Ｃとネットワーク接続広告配信装置３０とによる構成が考えられる。
【００８１】
携帯端末１Ｃは、実施の形態２の携帯端末１Ｂ同様、表示部２、電子マネー部４、ポイントカード部５及びネットワーク受信部１５を有している（説明の都合上、図７では図示せず）が、ＩＣカード定期券部３に相当する機能は有していない。
【００８２】
改札機８Ｃは、実施の形態２の改札機８Ａと同様、広告配信条件設定部１０、改札機属性情報１７及び広告ＩＤ通信部２２Ａより構成される（説明の都合上、図７上では広告ＩＤ通信部２２Ａのみ図示する）。広告配信条件設定部１０は広告配信対象となる少なくとも一つのユーザー条件を規定した広告配信条件情報Ｄ１０を格納している。
【００８３】
広告ＩＤ通信部２２Ａは携帯端末１Ｃのユーザーが改札機８Ｃの所定の認識部に携帯端末１Ｃをかざす等の所定のタイミング時に、実施の形態２と同様、携帯端末１Ｃの電子マネー部４及びポイントカード部５から購買傾向情報７を取り込むとともに、広告配信条件設定部１０より広告配信条件情報Ｄ１０を取り込む。そして、広告ＩＤ通信部２２Ａは、購買傾向情報７によって認識されるユーザー情報と広告配信条件情報Ｄ１０で規定される少なくとも一つのユーザー条件それぞれとを比較し、一致した場合、広告ＩＤ１３をネットワーク１２を介してネットワーク接続広告配信装置３０内の広告配信部３１に送信する。
【００８４】
広告配信部３１は、実施の形態２と同様、広告ＩＤ１３を受信し、広告情報Ｄ３２から広告ＩＤ１３に対応するを情報を配信広告情報９として取得し、ネットワーク１２を介して配信広告情報９を携帯端末１Ｃのネットワーク受信部１５に配信する。
【００８５】
なお、実施の形態４の広告配信システムの第１の構成として、実施の形態２のネットワーク接続広告配信装置３０を用いた構成を示したが、実施の形態１の改札機８のように、改札機８Ｃ内に広告配信条件設定部１０、広告サーバ１１及び広告配信部２０相当の機能を設け、ネットワーク接続広告配信装置３０を用いることなく、改札機８Ｃから配信広告情報９を近距離無線通信で携帯端末１Ｃに配信する第２の構成も勿論考えられる。
【００８６】
実施の形態４の広告配信システムでは、生活圏情報６を用いることなく購買傾向情報７のみに基づき配信広告情報９を配信している。
【００８７】
このように、実施の形態４の広告配信システムは、生活圏情報６に基づくことなく購買傾向情報７のみに基づき、ユーザー２１の携帯端末１Ｄの表示部２に配信広告情報９を表示させることにより広告配信を行うため、生活圏情報６に基づかない点を除き、実施の形態１（第２の構成の場合）あるいは実施の形態２（第１の構成の場合）と同様の効果を奏する。
【００８８】
また、実施の形態４の広告配信システムは生活圏情報６に基づくことなく配信広告情報９を配信することにより以下の効果を奏する。
【００８９】
例えば、特定の駅の改札機８Ｃにおいてのみ配信広告情報９を配信するシステムを第２の構成で実現する場合には、対象となる駅の改札機８Ｃ内に広告サーバ１１に配信広告情報９となる広告情報Ｄ１１を格納しておけば良く、携帯端末側から生活圏情報を取得する必要がないため、携帯端末１Ｃの内部構成を簡略化できる点で有効である。
【００９０】
なお、図７では携帯端末１Ｃ自体がＩＣカード定期券部３に相当する構成部を有さない態様を示したが、ＩＣカード定期券部３に相当する構成部を有している場合でも、生活圏情報６を利用しない広告配信システムとして実現可能なのは勿論である。
【００９１】
＜実施の形態５＞
図８はこの発明の実施の形態５である広告配信システムの構成を示すブロック図である。同図に示すように、実施の形態５の広告配信システムは基本的に携帯端末１Ｄと改札機８Ｄとネットワーク接続広告配信装置４０Ａとにより構成される。
【００９２】
携帯端末１Ｄは、実施の形態３の携帯端末１Ｂと同様、表示部２、ネットワーク受信部１５及びユーザーＩＤ格納部１６は有し（説明の都合上、図８では図示せず）、電子マネー部４及びポイントカード部５に相当する電子マネー機能部が未対応である。さらに、携帯端末１Ｄは携帯端末１Ｂと異なり、ＩＣカード定期券部３に相当する構成部も有しておらず、ＩＣカード定期券機能部も未対応である。
【００９３】
改札機８Ｄは、実施の形態３の改札機８Ｂと同様、ネットワーク送信部２３Ａ及び改札機属性情報１７（説明の都合上、図８中では、ネットワーク送信部２３Ａのみ示す）を有し、ネットワーク送信部２３Ａは携帯端末１Ｄのユーザーが改札機８Ｄの所定の認識部に携帯端末１Ｄをかざす等の所定のタイミング時に、ユーザーＩＤ格納部１６からユーザーＩＤ１４を取り込み、ユーザーＩＤ１４をそのままネットワーク１２を介してネットワーク接続広告配信装置４０Ａの広告配信部４１に送信する。
【００９４】
ネットワーク接続広告配信装置４０Ａは、広告配信部４１Ａ、広告配信条件設定部４２Ａ、広告サーバ４３及び購買履歴データベース４４から構成される。
【００９５】
広告配信条件設定部４２Ａは広告配信対象となる少なくとも一つのユーザー条件を規定した広告配信条件情報Ｄ４２Ａを格納している。広告サーバ４３は広告配信条件情報Ｄ４２Ａによって規定される少なくとも一つのユーザー条件それぞれに対応した広告内容を規定した広告情報Ｄ４３を格納している。
【００９６】
購買履歴データベース４４は、実施の形態３と同様、ユーザーＩＤ１４によって識別可能な各ユーザーの購買履歴情報を格納している。したがって、ユーザーＩＤ１４を検索キーとして、購買履歴データベース４４から各ユーザーの購買履歴情報を購買傾向情報７を取得することができる。
【００９７】
広告配信部４１Ａは、購買履歴データベース４４の購買履歴情報Ｄ４のうち、ユーザーＩＤ１４に基づき識別されるユーザーの購買履歴情報を購買傾向情報７として取り込み、この購買傾向情報７によって認識されるユーザー情報と広告配信条件情報Ｄ４２Ａで規定される少なくとも一つのユーザー条件それぞれとを比較する。
【００９８】
そして、一致したユーザー条件が存在した場合、広告配信部４１Ａは、広告サーバ４３の広告情報Ｄ４３から一致したユーザー条件に対応する情報を配信広告情報９として取得し、ネットワーク１２介して配信広告情報９を携帯端末１Ｄのネットワーク受信部１５に送信する。
【００９９】
実施の形態５の広告配信システムの広告配信動作は生活圏情報６が用いられない点を除き、図６で示した実施の形態３の広告配信動作とほぼ同様である。但し、携帯端末１Ｂが携帯端末１Ｄに置き換わり、改札機８Ａが改札機８Ｄに置き換わり、広告配信部４１が広告配信部４１Ａに置き換わる。
【０１００】
このように、実施の形態５の広告配信システムは、生活圏情報６に基づくことなく購買傾向情報７のみに基づき、ユーザー２１の携帯端末１Ｄの表示部２に配信広告情報９を表示させることにより広告配信を行うため、生活圏情報６に基づかない点を除き、実施の形態３と同様の効果を奏する。
【０１０１】
また、実施の形態５の広告配信システムは生活圏情報６に基づくことなく配信広告情報９を配信しているため、ＩＣカード定期券部３に相当する機能を有する必要がない分、携帯端末１Ｄの構成の簡略化を図ることができる。
【０１０２】
＜応用例＞
以下では実施の形態１〜実施の形態５で示した広告配信システムによる応用例を示す。以下で示す応用例は実施の形態１〜実施の形態５の広告配信システム全てにおいて可能であるが、以下では説明の都合上、実施の形態１の広告配信システムを例に挙げて説明する。
【０１０３】
（第１の応用例）
図９は実施の形態１等で示した広告配信システムよる第１の応用例を模式的に示す説明図である。同図に示すように、第１の応用例は、ユーザー条件が特定店舗の常連客のみに配信広告情報９として常連向け広告５１（「いつもご利用いただいている特別なお客様へキャンペーンのお知らせ」等の広告）を配信する例である。
【０１０４】
以下、第１の応用例の具体的処理内容を図２で示した実施の形態１の処理手順を参照しつつ説明する。
【０１０５】
まず、ステップＳＴ１において、携帯端末１を所持するユーザー２１が改札機８を通過する際（ＳＴ１１）、携帯端末１を改札機８の所定の認識部にかざす（ＳＴ１２）。
【０１０６】
その後、ステップＳＴ２において、ユーザー２１の携帯端末１から生活圏情報６及び購買傾向情報７を改札機８が取得する（ＳＴ２１〜ＳＴ２３）。
【０１０７】
次に、ステップＳＴ３において、広告配信部２０は生活圏情報６、購買傾向情報７及び改札機属性情報１７で認識されるユーザー情報と広告配信条件情報Ｄ１０で規定される少なくとも一つのユーザー条件それぞれとを比較する（ＳＴ３１）。
【０１０８】
この際、広告配信条件設定部１０は、ユーザー条件Ａ「Ａ駅で下車したユーザーであり、かつ、Ｂ店で最近６ヶ月以内に最低Ｙ円以上買い物をしている常連客」が規定されているとする。ここで、ユーザー情報が上記ユーザー条件Ａと一致した場合、ユーザー２１がＢ店の常連客と判断されることになる。なお、Ａ駅での下車は生活圏情報６及び改札機属性情報１７より認識することができ、Ｂ店での購入金額は、例えば、電子マネー部４の購買履歴情報Ｄ４、ポイントカード部５のＢ店における加算ポイント数から認識することができる。
【０１０９】
その後、ユーザー情報とユーザー条件Ａが一致した場合、広告サーバ１１内の広告情報Ｄ１１から、一致したユーザー条件Ａに対応する情報である常連向け広告５１を配信広告情報９として読み出す（ＳＴ３２）。
【０１１０】
そして、ステップＳＴ４において、改札機８から携帯端末１へ近距離無線通信を利用して常連向け広告５１を配信広告情報９として配信する（ＳＴ４１）。
【０１１１】
最後に、ステップＳＴ５において、携帯端末１は常連向け広告５１を受信し（ＳＴ５１）、表示部２より常連向け広告５１を閲覧する（ＳＴ５３）。
【０１１２】
第１の応用例のように、購買傾向情報７を利用することにより、常連客（Ｂ店の顧客）に対してのみ、特定の地域（Ａ駅の近辺）で広告配信するということが可能になる。さらに、改札機属性情報１７から、日時の情報も利用すると、週末のみ広告配信するということも可能である。
【０１１３】
さらに、改札機属性情報１７に基づくことにより、改札通過時に広告配信することができるため、店の最寄駅で広告配信したときは、改札を出たその足で来店してもらえるという効果も期待できる。
【０１１４】
このように、地域だけを特定して購入の期待できない客にまで広告配信するという従来の広告配信では到底得ることのできない、効率的な広告配信が行える効果を発揮することができる。
【０１１５】
（第２の応用例）
図１０は実施の形態１で示した広告配信システムよる第２の応用例を模式的に示す説明図である。同図に示すように、第２の応用例は、ユーザー条件が特定自動販売機での購入を促すくじ付き広告５２（「現在のポイント数に応じたポイントが当たるスピードくじ（ポイント数が多い人ほど高ポイントが当たる）」等の広告）を配信する例である。
【０１１６】
以下、第２の応用例の具体的処理内容を図２で示した実施の形態１の処理手順を参照しつつ説明する。
【０１１７】
まず、ステップＳＴ１において、携帯端末１を所持するユーザー２１が改札機８を通過する際（ＳＴ１１）、携帯端末１を改札機８の所定の認識部にかざす（ＳＴ１２）。
【０１１８】
その後、ステップＳＴ２において、ユーザー２１の携帯端末１から生活圏情報６及び購買傾向情報７を改札機８が取得する（ＳＴ２１〜ＳＴ２３）。
【０１１９】
次に、ステップＳＴ３において、広告配信部２０は生活圏情報６、購買傾向情報７及び改札機属性情報１７で認識されるユーザー情報と広告配信条件情報Ｄ１０で規定されるユーザー条件とを比較する（ＳＴ３１）。
【０１２０】
この際、広告配信条件設定部１０は、ユーザー条件Ｙ「Ｓ社自動販売機が設置してあるＡ駅〜Ｅ駅のいずれかで下車したユーザーであり、かつ、Ｓ社の自動販売機における購入ポイントがＸポイント以上購入している常連客」が規定されているとする。ここで、ユーザー情報が上記ユーザー条件Ｙと一致した場合、ユーザー２１をＳ社の自動販売機の常連客と判断されることになる。なお、Ａ〜Ｅ駅での下車は生活圏情報６及び改札機属性情報１７より判断することができ、Ｓ社の自動販売機におけるポイント数は、例えば、購買傾向情報７よりＳ社自動販売機に関する加算ポイント数から認識することができる。
【０１２１】
その後、ユーザー情報とユーザー条件Ｙが一致した場合、広告サーバ１１内の広告情報Ｄ１１から、一致したユーザー条件Ｙに対応する情報であるくじ付き広告５２を配信広告情報９として読み出す（ＳＴ３２）。
【０１２２】
そして、ステップＳＴ４において、改札機８から携帯端末１へ近距離無線通信を利用してくじ付き広告５２を配信広告情報９として配信する（ＳＴ４１）。
【０１２３】
最後に、ステップＳＴ５において、携帯端末１はくじ付き広告５２を受信し（ＳＴ５１）、表示部２よりくじ付き広告５２を閲覧する（ＳＴ５３）。
【０１２４】
その後、くじ付き広告５２を閲覧したユーザー２１は、くじ付き広告５２に基づき携帯端末１を操作してくじを引く。くじの結果、くじに当選した場合、Ｓ社の自動販売機に関するポイント獲得権利が付与される。なお、このポイント獲得権利はＳ社の自動販売機で電子マネー部４を利用する等により商品を購入しない限り、ポイント数として加算されない。
【０１２５】
したがって、図１１に示すように、ポイント獲得権利をポイント数として取得、加算すべく、ユーザー２１はＡ駅等に設置されているＳ社の自動販売機５３に向かい、自動販売機５３より所望の商品を商品を購入することが大いに期待できる。
【０１２６】
第２の応用例のように、生活圏情報６及び購買傾向情報７を利用することにより、常連客（Ｓ社の自動販売機の顧客）に対してのみ、特定の地域（Ａ駅〜Ｅ駅の近辺）で広告配信するということが可能になる。
【０１２７】
特に、購買傾向情報７を用いた広告を行うことで、購買実績がある人ほど、高ポイント取得可能なスピードくじという従来では実現できなかった配信広告情報９を配信することができる。
【０１２８】
また、改札通過時に広告配信することから、自動販売機の最寄駅で広告配信したときは、改札を出たその足で自動販売機を利用してもらえるという効果も期待できる。
【０１２９】
このように、地域だけを特定して購入の期待できない客にまで広告配信するという従来の広告配信では到底得ることのできない、効率的な広告配信が行える効果を発揮することができる。
【図面の簡単な説明】
【０１３０】
【図１】この発明の実施の形態１である広告配信システムの構成を示すブロック図である。
【図２】実施の形態１の広告配信システムの広告配信動作を示す説明図である。
【図３】この発明の実施の形態２である広告配信システムの構成を示すブロック図である。
【図４】実施の形態２の広告配信システムの広告配信動作を示す説明図である。
【図５】この発明の実施の形態３である広告配信システムの構成を示すブロック図である。
【図６】実施の形態３の広告配信システムの広告配信動作を示す説明図である。
【図７】この発明の実施の形態４である広告配信システムの構成を示すブロック図である。
【図８】この発明の実施の形態５である広告配信システムの構成を示すブロック図である。
【図９】実施の形態１等で示した広告配信システムよる第１の応用例を模式的に示す説明図である。
【図１０】実施の形態１等で示した広告配信システムよる第２の応用例を模式的に示す説明図である。
【図１１】第２の応用例の状況を模式的に示す説明図である。
【符号の説明】
【０１３１】
１，１Ａ〜１Ｄ  携帯端末、２  表示部、３  ＩＣカード定期券部、４  電子マネー部、５  ポイントカード部、６  生活圏情報、７  購買傾向情報、８，８Ａ〜８Ｄ  改札機、９  配信広告情報、１０，４２，４２Ａ  広告配信条件設定部、１１，３２，４２  広告サーバ、１２  ネットワーク、１４  ユーザーＩＤ、１５  ネットワーク受信部、１６  ユーザーＩＤ格納部、１７  改札機属性情報、２０，３１，４１，４１Ａ  広告配信部、２２，２２Ａ  広告ＩＤ通信部、２３，２３Ａ  ネットワーク送信部、３０，４０，４０Ａ  ネットワーク接続広告配信装置、４４  購買履歴データベース。
【図１】
2007213277.tif 000003
【図２】
2007213277.tif 000004
【図３】
2007213277.tif 000005
【図４】
2007213277.tif 000006
【図５】
2007213277.tif 000007
【図６】
2007213277.tif 000008
【図７】
2007213277.tif 000009
【図８】
2007213277.tif 000010
【図９】
2007213277.tif 000011
【図１０】
2007213277.tif 000012
【図１１】
2007213277.tif 000013